(57)【要約】【課題】アタッチメントの取付が容易で、かつ日光の直射の影響を受けにくくできるサッシ窓を提供すること。【解決手段】引違い窓１の窓枠１０において、下枠１１へのアタッチメント３０の取付構造を、ビス止め部３６をビス３６１でビス止めし、係止部３７を係止させる構造にした。従って、工場においてその取付作業を十分容易にできる。また、アタッチメント３０では、ビス止め部３６と係止部３７とを上下に離間させ、上方に露出する上面部３１を下枠１１の外側端面１１１Ｂ，１１２Ｂよりも室外側にのみ設けた。従って、アタッチメント３０では、取付構造的に見付け方向に反りにくいだけでなく、直射日光を受ける面積を小さくでき、熱伸びやこれに伴う反りを防止でき、ばたつきを確実に防止できる。【選択図】  図２
2004162314.tif 000002
【特許請求の範囲】
【請求項１】
窓枠を構成する下枠の室外側にアタッチメントが取り付けられ、このアタッチメントおよび前記下枠の上部の高さレベルが略同じとされたサッシ窓であって、
前記アタッチメントは、上下方向の一方側に設けられて前記下枠の室外側にビス止めされるビス止め部と、このビス止め部に対して上下方向の他方側に離間した位置に設けられて前記下枠の室外側に係止される係止部と、上方に露出する上面部とを備え、この上面部が前記下枠の室外側端面よりも室外側に延設されているサッシ窓。
【請求項２】
前記下枠の室外側にはグレーチングが配置され、前記アタッチメントには、当該グレーチングを受けるグレーチング受けを取り付けるための被取付部が設けられている請求項１に記載のサッシ窓。
【請求項３】
前記アタッチメントには、前記ビスを隠すカバー部材を取り付けるための被取付部が設けられている請求項１に記載のサッシ窓。
【請求項４】
前記アタッチメントには、前記下枠の室外側に配置されるグレーチングを受けるためのグレーチング受け、および前記ビスを隠すカバー部材のいずれか一方が、選択的に取り付けられる請求項１に記載のサッシ窓。
【請求項５】
前記アタッチメントは、前記上面部の室内端から下方に垂下して前記下枠に当接される垂下面部と、垂下片部の上下方向の中間位置に設けられて室外側に突出した中空部とを備え、前記グレーチング受けまたは前記カバー部材は、当該上面部と中空部とに上下に跨って取り付けられる請求項１ないし請求項４のいずれかに記載のサッシ窓。
【発明の詳細な説明】
【０００１】
【発明の属する技術分野】
本発明は、例えば下枠を越えて容易に往来できるようにしたバリアフリー用のサッシ窓に関する。
【０００２】
【背景技術】
従来より、窓枠の下枠上部を略フラットにし、この下枠を越えて容易に往来できるようにしたバリアフリー用のサッシ窓が知られている。
このようなサッシ窓によれば、例えばリビングルームとテラスとの間に設けられる場合では、リビングルームの床面と、下枠の上部と、テラスに設置されたデッキ等のデッキ面とを略同じ高さレベルに納め、この下枠を越えての室内外の出入りを容易に行えるようにしている。
【０００３】
一方、室外にデッキ等を設置した場合には、このデッキと下枠との間にグレーチングを配置し、このグレーチングで下方の排水路を覆うことが一般的である。この際には、グレーチングの上面も、他と同じ高さレベルに納めるのであるが、加えて、グレーチングの室外側をデッキに近接させるとともに、窓枠の室外側をグレーチングやこれを受けるグレーチング受けに近接させており、互いの隙間をなくして大きな段差が形成されないようにしている。
【０００４】
そして、下枠の室外側をグレーチングやグレーチング受けに近接させる手段としては従来、下枠とは別体のアタッチメント（上面フラット部材）を用いるものが知られている。このアタッチメントは、室外側の端部がグレーチングに近接するように延設されており、また、室内側の端部が下枠に支持されかつ外障子（サッシ窓が引違い窓用の場合である）を受ける構造とされ、全体として下枠に上方から嵌合するように設けられている（例えば特許文献１参照）。また、このようなアタッチメントは、網戸を設置する目的でも用いられ、上面部分の室外側には、網戸をガイドするためのガイド溝やレール等を備えている。
【０００５】
【特許文献１】
特許第３２３３９２１号公報（図１、図２、図６、図８、図９、図１１、図１３等）。
【０００６】
【発明が解決しようとする課題】
しかしながら、前記特許文献１に記載のアタッチメントは、下枠に上方から嵌合することで容易に取り付けできるのであるが、室内外にかけて上方に露出する部分が大きいフラット状であり、しかも、下枠に対してはその長手方向に沿って嵌合しているだけであるから、太陽の直射を受けると長手方向に熱伸びしやすく、この熱伸びが両端の縦枠に規制されて反ってしまう可能性がある。こうなると、反ったアタッチメント上を外障子が摺動したり、車椅子等が往来することになり、その際にアタッチメントがばたつく心配がある。
【０００７】
本発明の目的は、アタッチメントの取付が容易で、かつ日光の直射の影響を受けにくくできるサッシ窓を提供することにある。
【０００８】
【課題を解決するための手段】
本発明のサッシ窓は、窓枠を構成する下枠の室外側にアタッチメントが取り付けられ、このアタッチメントおよび前記下枠の上部の高さレベルが略同じとされたサッシ窓であって、前記アタッチメントは、上下方向の一方側に設けられて前記下枠の室外側にビス止めされるビス止め部と、このビス止め部に対して上下方向の他方側に離間した位置に設けられて前記下枠の室外側に係止される係止部と、上方に露出する上面部とを備え、この上面部が前記下枠の室外側端面よりも室外側に延設されていることを特徴とする。
【０００９】
このような本発明によれば、下枠へのアタッチメントの取付は、その上下方向の一方側のビス止め部をビス止めし、他方側の係止部を係止させればよく、嵌合タイプ程ではないが、取付作業が十分容易に行える。
また、本発明に係るアタッチメントは、下枠に対してビス止めされているうえに、ビス止め部と係止部とが上下に離間して設けられているために、反りにくい。しかも、上方に露出する上面部が下枠の室外側端面よりも室外側にのみ設けられているので、直射日光を受ける部分の面積が小さく、熱伸びやこれに伴う反り等が発生しにくい。従って、アタッチメントのばたつきが確実に防止される。
【００１０】
本発明のサッシ窓では、前記下枠の室外側にはグレーチングが配置され、前記アタッチメントには、当該グレーチングを受けるグレーチング受けを取り付けるための被取付部が設けられていることが望ましい。
グレーチング受けは通常、下枠やアタッチメントとは別体とされ、単独でスラブ面等に支持されることが多く、建設現場での施工が必要であった。しかし、本願発明のようにアタッチメントにグレーチング受けの被取付部を設けて、グレーチング受けをアタッチメントに支持させることにより、グレーチング受けを工場等で予めアタッチメントと共に下枠に取り付けておくことが可能であり、建築現場での施工が簡略化される。
【００１１】
本発明のサッシ窓では、前記アタッチメントには、前記ビスを隠すカバー部材を取り付けるための被取付部が設けられていることが望ましい。
このような発明によれば、下枠（アタッチメント）のさらに室外側にグレーチングやデッキ等が配置されない場合でも、ビスがカバー部材によって隠されるので、外観が良好になる。
【００１２】
本発明のサッシ窓では、前記下枠の室外側に配置されるグレーチングを受けるためのグレーチング受け、および前記ビスを隠すカバー部材のいずれか一方が、選択的に取り付けられることが望ましい。
このような発明によれば、サッシ窓の室外側に何も配置されない場合にはカバー部材を、グレーチングが配置される場合にはグレーチング受けを、それぞれの場合に応じて選択して取り付ければよく、カバー部材を用いる場合とグレーチング受けを用いる場合とで専用のアタッチメントを個別に用意する必要がなく、各仕様でのアタッチメントの共通化が図れる。
【００１３】
本発明のサッシ窓では、前記アタッチメントは、前記上面部の室内端から下方に垂下して前記下枠に当接される垂下面部と、垂下片部の上下方向の中間位置に設けられて室外側に突出した中空部とを備え、前記グレーチング受けまたは前記カバー部材は、当該上面部と中空部とに上下に跨って取り付けられることが望ましい。
このような発明によれば、中空部が上面部の下方に位置するようになるうえ、これらに跨って取り付けられるグレーチング受けまたはカバー部材に作用する荷重は、剛性面で優位な中空部によって支持されるようになる。つまり、カバー部材を取り付けた場合では、上面部に作用する荷重が当該カバー部材を介して中空部で確実に支持されるようになり、また、グレーチング受けを取り付けた場合では、このグレーチング受けや前記上面部に作用する荷重が同様に中空部で確実に支持されるから、部材の変形等が防止されて耐久性が向上する。
【００１４】
【発明の実施の形態】
以下、本発明の一実施形態を図面に基づいて説明する。
図１、図２において、サッシ窓としての引違い窓１は、ＲＣ構造のマンション等の建物のリビング２に設置されており、リビング２と室外のテラス（あるいはバルコニー）に設置されたデッキ３との往来が容易に行えるように、いわゆるバリアフリー用に設けられている。
引違い窓１は具体的に、建物の開口部に設置された窓枠１０と、窓枠１０内に摺動可能に建て込まれた複数の障子２０（本実施形態では各１枚の内障子２０Ａおよび外障子２０Ｂ）とを備えている。
【００１５】
窓枠１０は、それぞれアルミ押出形材製の上枠（不図示）、下枠１１、および左右の縦枠１２を四周枠組みした構成であり、各枠１１，１２は、建物躯体４から延びたアンカー部材５に取り付けられ、建物躯体４と各枠１１，１２との間には、アンカー部材５が埋設されるようにしてモルタル６が打設されている。また、上枠および下枠１１には、室内外のレール１４（１４Ａ，１４Ｂ）が設けられ、下枠１１の室内側のレール１４Ａ上を内障子２０Ａの戸車が、室外側のレール１４Ｂ上を外障子２０Ｂの戸車がそれぞれ転動する。
【００１６】
障子２０は、それぞれアルミ押出形材製の上框（不図示）、下框２１、および左右の竪框２２を四周框組した内部にガラス面材２３（図１に単層の場合を、図２に複層の場合をそれぞれ示した）を備えている。
【００１７】
このような引違い窓１では、図２に示すように、下枠１１部分がバリアフリーに対応しているのであるが、そのために下枠１１のレール１４Ａ、１４Ｂの他、室内側の立上片１５、室外側の立上片１６、および各レール１４Ａ，１４Ｂ間の立上片１７は、その上端部分の高さレベルが略同じとされ、また、この高さレベルとリビング２の床面２Ａおよびデッキ３のデッキ面３Ａの高さレベルとが略同じになっている。
【００１８】
ここで、下枠１１をより詳細に説明すると、下枠１１は、アンカー部材５に取り付けられる第１枠１１１と、この第１枠１１１に室外側からビス１１３によってビス止めされる第２枠１１２とを備え、これらの枠１１１，１１２間には、止水性を確保する目的で風止め部材１１４が配置されている。第１枠１１１には室内のレール１４Ａおよび立上片１５が、第２枠１１２には室内側から順に立上片１７、レール１４Ｂ、および立上片１６が設けられている。これらは、各枠１１１，１１２の水平な上面１１１Ａ，１１２Ａから上方に突設されている。
【００１９】
また、第１枠１１１の室外側端面１１１Ｂと第２枠１１２の室外側端面１１２Ｂとの間は、大きな開口部１１５となっており、この開口部１１５を利用して、第２枠１１２の室内側の垂下片１１６が第１枠１１１の室内側の中空部１１７にビス止めされ、室外側の垂下片１１８が第１枠１１１の室外側の中空部１１９にビス止めされている。
【００２０】
この下枠１１の室外側には、前記開口部１１５を覆うようにアルミ押出形材製のアタッチメント３０が取り付けられている。
アタッチメント３０は、下枠１１の長手方向に沿って連続し、かつ水平な上面部３１と、上面部３１の室内端から下方に垂下した垂下面部３２とで断面略Ｌ字状に形成されており、上面部３１の室外側には上方に突設したレール３３が設けられ、垂下面部３２の上下方向の中間位置には室外側に突出した中空部３４が設けられ、中空部３４の室外側には水切り部３５が下方に垂設されている。レール３３には網戸４０が戸車を介して支持されている。レール３３の上端部分の高さレベルは、前述した下枠１１の高さレベルや床面２Ａおよびデッキ面３Ａの高さレベルと略同じである。
【００２１】
このアタッチメント３０では、図４に拡大して示すように、垂下面部３２の上下方向の上方側、つまり上面部３１と中空部３４との間の位置がビス止め部３６となっており、このビス止め部３６がビス３６１で下枠１１（第２枠１１２）の上方の室外側端面１１２Ｂ（開口部１１５の上部）にビス止めされている。さらに、垂下面部３２において、ビス止め部３６に対して下方に離間した位置には、室内側に突設された鉤状の係止部３７が設けられてり、この係止部３７が下枠１１（第１枠１１１）の室外側端面１１１Ｂの上端縁に上方から係止されている。これらのビス止め部３６および係止部３７によりアタッチメント３０は、垂下面部３２が各室外側端面１１１Ｂ，１１２Ｂに当接された状態で下枠１１の室外側に取り付けられている。そして、取り付けられた状態では、上面部３１のみが下枠１１の室外側端面１１２Ｂから室外側に延設されたように上方に露出する。
【００２２】
さらに、上面部３１の室外端には上方に僅かに突出した第１被取付部３１１が設けられているうえ、中空部３４の室外側端面は第２被取付部３４２となっている。これら第１、第２被取付部３１１，３４２には、アルミ押出形材製のグレーチング受け５０が取り付けられている。
【００２３】
このグレーチング受け５０は、室内側の上部に係止部５１を備えているとともに、下部に垂下片５２を備えており、係止部５１がアタッチメント３０の第１被取付部３１１に係止され、垂下片５２が第２被取付部３４２にビス５２１でビス止めされている。すなわち、グレーチング受け５０は、アタッチメント３０の上面部３１と中空部３４とに上下に跨って取り付けられ、垂下片５２の下端が中空部３４に設けられた切り部３５の上端で支持されている（図２）。この際、グレーチング受け５０により、アタッチメント３０のビス止め部３６が閉塞され、ここを貫通するビス３６１が隠される。
【００２４】
また、グレーチング受け５０の係止部５１および垂下片５２は、室内側の中空部５３に設けられているのであるが、この中空部５３の室外側にも別の中空部５４が設けられ、さらにこの中空部５４の室外側には、デッキ３と近接した立上片５５が突設されている。そして、中空部５４の上面部分は、中空部５３よりも一段低くなっており、この段差部分により凹状の溝部５６が形成され、この溝部５６内にグレーチング６０が配置されようになっている。グレーチング受け５０の立上片５５およびグレーチング６０の高さレベルは、前述の高さレベルと同じである。これにより、床面２Ａからデッキ面３Ａまでの間には、大きく隙間の空いた段差が存在せず、バリアフリーの状態となっている。
【００２５】
一方、図３には、アタッチメント３０の室外側にカバー部材７０が取り付けられた状態が示されている。テラスにデッキ３が設けられない場合には、前述のグレーチング６０も設けられないために、アタッチメント３０にはグレーチング受け５０が取り付けられず、その代わりにカバー部材７０が取り付けられるのである。すなわち、図４に示すように、グレーチング受け５０およびカバー部材７０は、デッキ３の有無に応じて選択的に取り付けらる部材であり、いずれが選択された場合でも、アタッチメント３０は共通して用いられる。
【００２６】
このためにアタッチメント３０には、前述の第１、第２被取付部３１１，３４２の他、カバー部材７０を取り付けるための第３、第４被取付部３１３，３４４が設けられている。第３被取付部３１３は、上面部３１の室外側において、その下面から下方に突出した凸状に設けられている。一方の第４被取付部３４４は、中空部３４の室外側において、その上面から上方に突出した凸状に設けられている。これら第３、第４被取付部３１３，３４４は上下に対向しており、ここにカバー部材７０が嵌合している。
【００２７】
従って、カバー部材７０には、鉛直面を有する本体部７１から室内側に延びた上下一対のヒレ部７２，７３が設けられており、これらのヒレ部７２，７３の第３，第４被取付部３１３，３４４への嵌合により、カバー部材７０が上面部３１と中空部３４とに上下に跨った状態でアタッチメント３０に取り付けられることになり、本体部７１の下端がやはり中空部３４に設けられた水切り部３５の上端で支持される（図３）。また、この際には、カバー部材７０の本体部７１により、アタッチメント３０取付用のビス３６１が隠されるだけではなく、前述の第２被取付部３４２も覆われ、この本体部７１と水切り部３５と第１被取付部３１１とで面一な室外面が形成されるようになっている。
【００２８】
なお、以上に説明したアタッチメント３０、グレーチング受け５０、およびカバー部材７０は、工場等で予め下枠１１に取り付けられるものである。
【００２９】
このような本実施形態によれば、以下のような効果がある。
（１）  すなわち、引違い窓１の窓枠１０において、下枠１１へのアタッチメント３０の取付は、その上方側のビス止め部３６をビス３６１でビス止めし、下方側の係止部３７を係止させればよく、工場等においてその取付作業を十分容易にできる。
【００３０】
（２）  また、アタッチメント３０は、ビス止め部３６で下枠１１に確実にビス止めされているうえに、ビス止め部３６と係止部３７とが上下に離間して設けられてそれぞれ下枠１１に取り付けられているために、見付け方向（上下方向であって、窓枠１０の面内方向のこと）には反りにくい。しかも、上方に露出する上面部３１が下枠１１の室外側端面１１１Ｂ，１１２Ｂよりも室外側にのみ設けられているので、直射日光を受ける部分の面積を小さくでき、熱伸びやこれに伴う反り等が発生しにくくできる。このため、外障子２０Ｂの摺動時や、車椅子等での室内外の往来時のアタッチメント３０のばたつきを確実に防止できる。
【００３１】
（３）  特にアタッチメント３０は、下枠１１の室外側というだけではなく、窓枠１０全体から見てもその室外側に位置しているので、仮にアタッチメント３０が熱伸びしても、熱伸びがその両側で縦枠１２に規制される心配がなく、やはり反りを生じにくくできる。従って、このようなアタッチメント３０は、日差しが強い高層マンション等の上層部分では特に有用である。
【００３２】
（４）  アタッチメント３０は、上方がビス止めされ、下方が係止されているので、工場等で予め下枠１１に取り付けても、建設現場に搬送する途中で下枠１１から脱落する心配がないうえ、脱落防止用の特別な梱包を不要にでき、搬送にかかる手間を省くことができる。
【００３３】
（５）  アタッチメント３０には、グレーチング受け５０を取り付けるための第１、第２被取付部３１１，３４２が設けられているため、グレーチング受け５０を室外のスラブ面ではなく、アタッチメント３０のみに支持させるこができる。従って、グレーチング受け５０を工場等で予めアタッチメント３０と共に下枠１１に取り付けておくことができ、建築現場での施工を簡略化できる。
【００３４】
（６）  さらに、アタッチメント３０には、カバー部材７０を取り付けるための第３、第４被取付部３１３，３４４が設けられているから、アタッチメント３０のさらに室外側にグレーチング６０やデッキ等が配置されない場合でも、ビス３６１をカバー部材７０によって隠すことができ、外観を良好にできる。
【００３５】
（７）  また、そのようなグレーチング受け５０やカバー部材７０は、デッキ３の有無に応じて選択的に用いられるので、カバー部材７０を用いる場合とグレーチング受け５０を用いる場合とで専用のアタッチメント３０を個別に用意する必要がなく、各仕様でのアタッチメント３０の共通化を実現できる。
【００３６】
（８）  アタッチメント３０において、第１、第３被取付部３１１，３１３は上面部３１に設けられ、第２、第４被取付部３４２，３４４は中空部３４に設けられているので、グレーチング受け５０およびカバー部材７０をそれぞれ、上方の上面部３１と剛性が大きい下方の中空部３４とに上下に跨って取り付けることができる。このため、カバー部材７０を取り付けた場合では、上面部３１に作用する荷重を当該カバー部材７０を介して中空部３４（に設けられた水切り部３５の上端）で確実に支持でき、また、グレーチング受け５０を取り付けた場合では、このグレーチング受け５０や上面部３１に作用する荷重を同様に中空部３４で確実に支持でき、部材の変形等を防止して耐久性を向上させることができる。
【００３７】
なお、本発明は、前記実施形態に限定されるものではなく、本発明の目的を達成できる他の構成等を含み、以下に示すような変形等も本発明に含まれる。
例えば、本発明に係るアタッチメントの形状等は、前記実施形態のアタッチメント３０に限定されず、請求項１に記載のビス止め部、係止部、および上面部を備えていればよい。すなわち、実施形態のアタッチメント３０での中空部３４や、水切り部３５、あるいは第１〜第４被取付部３１１，３１３，３４２，３４４等は、本発明に必須の構成ではなく、必要に応じて設けられればよい。
【００３８】
また、前記実施形態のアタッチメント３０では、第１〜第４被取付部３１１，３１３，３４２，３４４が設けられていることで、グレーチング受け５０またはカバー部材７０が選択的に取り付けられるようになっていたが、第１、第２被取付部３１１，３４２を設けてグレーチング受け５０のみが取り付けられるようにしてもよく、第３、第４被取付部３１３，３４４を設けてカバー部材７０のみが取り付けられるようにしてもよく、これにより、各仕様に合わせた専用のアタッチメントを別々に用意してもよい。
【００３９】
さらに、グレーチング受け５０およびカバー部材７０の取付部分の形状を同じに設けることで、アタッチメント３０側の被取付部の形状も同じにし、使用する被取付部の共通化を図ってもよい。
そして、前記実施形態のアタッチメント３０は、グレーチング受け５０およびカバー部材７０のうち、いずれか一方が取り付けられる構造であったが、各被取付部の位置等を工夫することで、それらの両方が同時に取り付けられるようにしてもよい。
【００４０】
前記実施形態で説明した窓枠１０や障子２０では、アルミの押出形材製の各枠１１，１２および各框２１，２２を用いていたが、これらの枠や框としては、金属製の室内外部材とこれらを連結する樹脂製の断熱部材とで構成された断熱形材を用いてもよく、また、全体が樹脂製の形材を用いてもよく、さらには金属製形材、樹脂製形材、天然木材、合成木材のうちの少なくとも２種類以上を組み合わせた複合材を用いてもよく、いずれを用いるかは要求される断熱性能等を勘案して決められればよい。
【００４１】
前記実施形態のアタッチメント３０では、室外側に網戸４０用のレール３３が設けられていたが、このようなレール３３も必要に応じて設けられればよく、省略した場合でも本発明に含まれる。
【００４２】
前記実施形態では、引違い窓１について説明したが、本発明のサッシ窓としてはこれに限定されず、開き窓、片開き窓、引き戸、ドア等であってもよく、バリアフリーに対応した任意のサッシ窓に適用できる。
【００４３】
【発明の効果】
以上に述べたように、本発明のサッシ窓によれば、アタッチメントの取付が容易で、かつ日光の直射の影響を受けにくくできるという効果がある。
【図面の簡単な説明】
【図１】本発明の一実施形態に係るサッシ窓を示す横断面図。
【図２】前記サッシ窓の要部を示す縦断面図。
【図３】前記サッシ窓の要部の別仕様を説明するための縦断面図。
【図４】前記サッシ窓の構成部材を示す拡大図である。
【符号の説明】
１…サッシ窓である引違い窓、１０…窓枠、１１…下枠、３０…アタッチメント、３１…上面部、３２…垂下面部、３４…中空部、３６…ビス止め部、３７…係止部、５０…グレーチング受け、６０…グレーチング、７０…カバー部材、１１１Ｂ，１１２Ｂ…室外側端面、３１１，３４２，３１３，３４４…被取付部である第１〜第４被取付部、３６１…ビス。
【図１】
2004162314.tif 000003
【図２】
2004162314.tif 000004
【図３】
2004162314.tif 000005
【図４】
2004162314.tif 000006